(57)【要約】【課題】  外反母趾の主な原因は、狭い靴を履く事による生活習慣に起因する症状である。従って靴を履いた状態で症状は進行するから、靴を履いた時にこそ外反母趾を矯正しなければ、ますます症状は進行するのである。【解決手段】  本発明は靴を履いた状態で外反母趾を矯正する為に、主たる３つの必要条件を想定して、考案した用具である。  第１に、装着し易く、且つ挟みやすい機能を持つ物として、足の親指と人差指の付け根の窪みに嵌りやすい構造の鍔（図１の符号２，３）を有し。  第２に、外反母趾の症状に合わせて、厚みの調節を可能にする機能を持つ物としてコットン等を詰め込み、厚み調節をする縦溝（図１の符号４）が有り。  第３に、足の指が靴の中で多少動いても、その動きに順応して外れにくくする機能を持つ構造として、柔軟な４つの半球（図１の符号９）を有する。  以上が外反母趾を矯正する為に、解決すべき重要な条件と考察し、３つの機能を以って、現代社会に於ける靴を履き続ける生活習慣の中で、外反母趾を矯正するものとして考案した物である。【選択図】図１
2008093399.tif 000002
【特許請求の範囲】
【請求項１】
足の親指と人差指の付け根にある窪みに嵌りやすい鍔（図１符号２，３）と、症状に合わせて詰め物が入れられ、厚みの調節のできる縦溝（図１符号４）と、足の指を動かしても動きに順応して外れにくくする４つの半球（図１符号９）の以上の３構造を以って、外反母趾の矯正具とする。
【請求項２】
本発明を実現可能にする最も良い材料として、三次元座標金型構造で成形可能な架矯性エラストマー樹脂を使用する。
【発明の詳細な説明】
【技術分野】
【０００１】  本発明は足の親指が人差指側に向かって曲がっている、所謂外反母趾の症状を、本発明の用具を用いて足の親指が人差指側に向かって曲がっている状態から、徐々に正常な親指に矯正させる用具に関するものである。
【背景技術】
【０００２】  外反母趾の矯正にはサポータータイプの物や、何ら変哲も無い単純に指の間に挟むだけのシリコンパッドやスポンジパッド等がある。これらは自宅で外出せずに、安静にして使用する条件でのみに於いて活用できる。
【発明の開示】
【発明が解決しようとする課題】
【０００３】  現代社会の日常生活では靴を履くことは避けられない習慣である。既存のサポータータイプで外反母趾を矯正するには、靴を履くにはあまりにも嵩張り、サポーターで痛いところを締めつける傾向に有る。また構造的に工夫の無いシリコンパッド等は指の間から外れやすい傾向にある。したがって従来ある外反母趾矯正用具は日常生活に於いて、特に外出の時の矯正に目を向けずに考案されているので、外反母趾を治療するには適していないと言わざるを得ないのが実情である。
外反母趾になる主な原因は、足の指をせばめてしまう傾向の靴を履く事にある。また必然的に靴を履き続けなければならない現代生活様式にも原因が存在するので、靴を履いた状況でこそ、外反母趾を矯正しなければならない。
【課題を解決するための手段】
【０００４】  足の親指と人差指の間に柔らかい材質のパッドを挟むことにより、曲がった親指を正常な状態に戻すには、恒常的に靴を履いている時も又靴を脱いだ状態の時でも、矯正パッドの厚みを必要最小限にする必要があり、且つ足の親指と人差指の間から外れにくいことも不可欠な条件になる。従って足の親指と人差指の間に、薄くて外れにくい、そしてパッドの厚みを症状に合わせて厚み調節が可能な構造を備え、加えて弾力に富んだ材質を使用したパッドが望まれる。
【発明を実施するための最良の形態】
【０００５】  ［図２］の符号６に示す基節骨（親指）と符号８の基節骨（人差指）の交点は窪んでいて、親指と人差指が交わる動きの支点になる窪みである。
本考案の［図１］の符号２に示す鍔上部と符号３の鍔下部は、足の親指と人差指の交点の窪みに嵌り易く、且つ挟み易い構造である。【０００６】  ［図１］及び［図２］の符号９で示す４つの柔軟な半球は靴の中で足の指を多少動かしても、足の指の動きに柔らかな半球体が順応するので、指の間から外れにくい構造になっている。【０００７】  ［図１］及び［図２］の符号４で示す厚み調節用縦溝は、症状に合わせて、この溝にコットンのような柔軟な材質の詰め物が入れられる。これは症状が少しずつ改善されて足の親指と人差指の間隔が次第に広がってくる時に、パッドの厚み調節を可能にする役割の溝である。【０００８】  ［図１］の符号５は靴を履いた時の通気用横穴である。
【発明の効果】
外反母趾矯正の最大の目的は外反母趾による痛みを和らげることである。次に足の人差指側に曲がった親指を、徐々に正常な親指の状態に戻すことである。この目的を果たす為の矯正具の材質は柔らかで、耐久性に優れ、三次元座標金型構造で成形可能な、架橋性エラストマー樹脂を使用することが適している。
本発明は靴を履いたまま、外反母趾を矯正することが何よりも効果的と考えている。そして足の親指の付け根である［図２］の符号７に示す基節骨（親指）の骨頭部関節の外側が最も痛い所である事を考慮し、骨頭部の外側には触れないように親指と人差指の間に挟まる構造のパッドにすることが最良であり、また痛みを感じさせない柔らかな材質を選ぶ事も大切な事柄と考えている。更には厚み調節可能な構造を持つ上に、外れにくい矯正具でなければならない。そして靴の中で使用する事が前提なので、ムレ防止用の通気穴も欲しい。
これらの課題を解決する為に、［図１］に示した符号２、３の嵌りやすい鍔や、符号４のパッドの厚み調節用縦溝、符号９の指の動きに順応する柔軟な半球、そして符号５の通気用横穴が設けてある。各々の役割は記述した通りであり、これらの構造が外反母趾矯正を効果的にする。
外反母趾のほとんどの原因は靴を履いた時の外的変形によるもので、靴を履かない時に治療をしても、靴を履く習慣から遁れられないならば、再び外反母趾は進行してしまう。
従って靴を履いた時に装着可能な外反母趾矯正具が最も適した矯正具となる事と考え、本考案の構造になったのである。
【図面の簡単な説明】
【図１】本考案の平面図、側面図、正面図である。
【図２】本考案の実施方法を示した説明図である。
【符号の説明】
１  外反母趾矯正パッド本体
２  鍔上部
３  鍔下部
４  厚み調節用縦溝
５  通気用横穴
６  基節骨（親指）
７  基節骨（親指）の骨頭部関節
８  基節骨（人差指）
９  柔軟な半球
【図１】
2008093399.tif 000003
【図２】
2008093399.tif 000004
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
図２符号６，８に示す基節骨間に挟む物として、上下に鍔を設け、厚さ調節用の縦溝と通気用の横穴を形成したパッドであり、図１符号９に示すパッド先端部にパッド外れ防止用の柔軟な４つの半球を設けたことを特徴とする外反母趾矯正パッド。
【請求項２】
請求項１記載のパッドはエラストマー樹脂材料で成形をすることを特徴とする外反母趾矯正パッド。
【手続補正２】
【補正対象書類名】明細書
【補正対象項目名】全文
【補正方法】変更
【補正の内容】
【発明の詳細な説明】
【技術分野】
【０００１】  本発明は足の親指が人差指側に向かって曲がっている、所謂外反母趾の症状を、本発明の用具を用いて足の親指が人差指側に向かって曲がっている状態から、徐々に正常な親指に矯正させる用具に関するものである。
【背景技術】
【０００２】  外反母趾の矯正にはサポータータイプの物や、何ら変哲も無い単純に指の間に挟むだけのシリコンパッドやスポンジパッド等がある。これらは自宅で外出せずに、安静にして使用する条件でのみに於いて活用できる。
【発明の開示】
【発明が解決しようとする課題】
【０００３】  現代社会の日常生活では靴を履くことは避けられない習慣である。既存のサポータータイプで外反母趾を矯正するには、靴を履くにはあまりにも嵩張り、サポーターで痛いところを締めつける傾向に有る。また構造的に工夫の無いシリコンパッド等は指の間から外れやすい傾向にある。したがって従来ある外反母趾矯正用具は日常生活に於いて、特に外出の時の矯正に目を向けずに考案されているので、外反母趾を治療するには適していないと言わざるを得ないのが実情である。
外反母趾になる主な原因は、足の指を圧迫してしまう傾向の靴を履く事にある。また必然的に靴を履き続けなければならない現代生活様式にも原因が存在するので、靴を履いた状況でこそ、外反母趾を矯正しなければならない。
【課題を解決するための手段】
【０００４】足の親指と人差指の間に柔らかい材質のパッドを挟むことにより、曲がった親指を正常な状態に戻すには、恒常的に靴を履いている時も又靴を脱いだ状態の時でも、矯正パッドの厚みを必要最小限にする必要があり、且つ足の親指と人差指の間から外れにくいことも不可欠な条件になる。従って足の親指と人差指の間に、薄くて外れにくい、そしてパッドの厚みを症状に合わせて厚み調節が可能な構造を備え、柔らかく弾力に富んだ材質を使用したパッドが望まれる。
【発明を実施するための最良の形態】
【０００５】  図２の符号６に示す基節骨（親指）と符号８の基節骨（人差指）の交点は窪んでいて、親指と人差指が交わる動きの支点になる窪みであり、図１の符号２に示す鍔上部と符号３の鍔下部は、足の親指と人差指のその支点の窪みに嵌り易く、且つ挟み易い構造である。【０００６】  図１及び図２の符号９で示す４つの柔軟な半球は足の指を動かしても、足の指の動きに柔らかな半球体が順応するので、図２符号６，８に示す基節骨間から外れにくい構造になっている。【０００７】段落０００４に記載の、図１及び図２の符号４で示す厚み調節用縦溝は、この溝にはコットンのような柔軟な材質の詰め物が入れられる縦溝であり、これは症状が少しずつ改善されて、基節骨の間隔が次第に広がってくる時に、パッドの厚み調節を可能にする役割の溝である。【０００８】  図１の符号５は靴を履いた時の通気用横穴である。
【発明の効果】
外反母趾矯正の最大の目的は外反母趾の痛みを和らげることである。次に足の人差指側に曲がった親指を、徐々に正常な親指の状態に戻すことである。この目的を果たす為の矯正具の材質は柔らかで、且つ耐久性に優れたエラストマー樹脂を使用して成形する。
本発明は靴を履いたまま、外反母趾を矯正することが何よりも効果的と考えている。そして足の親指の付け根である、図２の符号７に示す基節骨（親指）の骨頭部関節の外側が最も痛い所である事を考慮し、骨頭部の外側には触れないように親指と人差指の間に挟まる構造のパッドにすることであり、また痛みを感じさせない柔らかな材質を選ぶ事も大切な事柄と考えている。更には厚み調節可能な構造を持つ上に、外れにくい矯正具でなければならない。そして靴の中で使用する事が前提なので、ムレ防止用の通気穴も欲しい。
これらの課題を解決する為に、図１に示した符号２、３の嵌りやすい鍔や、符号４のパッドの厚み調節用縦溝、符号９の指の動きに順応する柔軟な半球、そして符号５の通気用横穴が設けてある。各々の役割は記述した通りであり、これらの構造が外反母趾矯正を効果的にする。
外反母趾のほとんどの原因は靴を履いた時の外的変形によるもので、靴を履かない時に治療をしても、靴を履く習慣から遁れられないならば、再び外反母趾は進行してしまう。従って、このパッドは靴を履いた時に装着可能であり、基節骨間が開くにつれて、パッド幅の厚みを増やす事のできる調節構造があり、加えて柔らかな４つの半球で、パッドが外れにくくする構造を設けてあることを特徴とする外反母趾矯正具。
【図面の簡単な説明】
【図１】本考案の平面図、側面図、正面図である。
【図２】本考案の実施方法を示した説明図である。
【符号の説明】
１  外反母趾矯正パッド本体
２  鍔上部
３  鍔下部
４  厚み調節用縦溝
５  通気用横穴
６  基節骨（親指）
７  基節骨（親指）の骨頭部関節
８  基節骨（人差指）
９  柔軟な半球
【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
基節骨間に挟むものとして、上下に水平な上鍔部２と下鍔部３を設け、上鍔部２、下鍔部３間を、足の親指と人差指のその支点の窪みに嵌り易く、且つ挟み易いものとし、厚さ調節用の縦溝４と複数の通気用の横穴５を形成したパッドにおいて、パッドはエラストマー樹脂材料で成形し、前記縦溝４にはコットンのような柔軟な材質の詰め物を入れ、足の親指と人差指の交点の窪みと反対側の指先側になるパッド端部１０にパッド外れ防止用の柔軟な４つの半球９を上下に２個、左右に分けて一体的に設けたことを特徴とする外反母趾矯正パッド。
【手続補正２】
【補正対象書類名】明細書
【補正対象項目名】全文
【補正方法】変更
【補正の内容】
【発明の詳細な説明】
【技術分野】
【０００１】
本発明は、足の親指が人差指側に向かって曲がっている、所謂外反母趾の症状を、足の親指が人差指側に向かって曲がっている状態から、徐々に正常な親指に矯正させる用具である外反母趾矯正パッドに関するものである。
【背景技術】
【０００２】
外反母趾の矯正にはサポータータイプの物や、何ら変哲も無い単純に指の間に挟むだけのシリコンパッドやスポンジパッド等がある。これらは自宅で外出せずに、安静にして使用する条件でのみに於いて活用できる。
【０００３】
現代社会の日常生活では靴を履くことは避けられない習慣である。既存のサポータータイプで外反母趾を矯正するには、靴を履くにはあまりにも嵩張り、サポーターで痛いところを締めつける傾向に有る。また構造的に工夫の無いシリコンパッド等は指の間から外れやすい傾向にある。したがって従来ある外反母趾矯正用具は日常生活に於いて、特に外出の時の矯正に目を向けずに考案されているので、外反母趾を治療するには適していないと言わざるを得ないのが実情である。
【０００４】
外反母趾になる主な原因は、足の指を圧迫してしまう傾向の靴を履く事にある。また必然的に靴を履き続けなければならない現代生活様式にも原因が存在するので、靴を履いた状況でこそ、外反母趾を矯正しなければならない。
【０００５】
下記特許文献は発明者が先に出願した実用新案登録にかかるものである。
【特許文献１】実用新案登録第３０６８８０７号公報
【発明の開示】
【発明が解決しようとする課題】
【０００６】
足の親指と人差指の間に柔らかい材質のパッドを挟むことにより、曲がった親指を正常な状態に戻すには、恒常的に靴を履いている時も又靴を脱いだ状態の時でも、矯正パッドの厚みを必要最小限にする必要があり、且つ足の親指と人差指の間から外れにくいことも不可欠な条件になる。従って足の親指と人差指の間に、薄くて外れにくい、そしてパッドの厚みを症状に合わせて厚み調節が可能な構造を備え、柔らかく弾力に富んだ材質を使用したパッドが望まれる。
【０００７】
本発明の目的は前記従来例の不都合を解消し、足の親指と人差指の間に挟むものとして、薄くて外れにくく、そして厚みを症状に合わせて調節が可能で、柔らかく弾力に富んだ外反母趾矯正パッドを提供することにある。
【課題を解決するための手段】
【０００８】
本発明は前記目的を達成するため、基節骨間に挟むものとして、上下に水平な上鍔部２と下鍔部３を設け、上鍔部２、下鍔部３間を、足の親指と人差指のその支点の窪みに嵌り易く、且つ挟み易いものとし、厚さ調節用の縦溝４と複数の通気用の横穴５を形成したパッドにおいて、パッドはエラストマー樹脂材料で成形し、前記縦溝４にはコットンのような柔軟な材質の詰め物を入れ、足の親指と人差指の交点の窪みと反対側の指先側になるパッド端部１０にパッド外れ防止用の柔軟な４つの半球９を上下に２個、左右に分けて一体的に設けたことを要旨とするものである。
【発明の効果】
【０００９】
以上述べたように、本発明の外反母趾矯正パッドは、外反母趾の痛みを和らげることができ、足の人差指側に曲がった親指を、徐々に正常な親指の状態に戻すことができる。また、痛みを感じさせない柔らかな材質であり、更には厚み調節可能な構造を持つ上に、外れにくいものである。
【発明を実施するための最良の形態】
【００１０】
図４の符号６に示す基節骨（親指）と符号８の基節骨（人差指）の交点は窪んでいて、親指と人差指が交わる動きの支点になる窪みであり、図１から図３の符号２に示す水平な鍔上部と符号３の水平な鍔下部は、足の親指と人差指のその支点の窪みに嵌り易く、且つ挟み易い構造である。
【００１１】
図中符号９で示す半球は、前記足の親指と人差指の交点の窪みと反対側の指先側になるパッド端部１０に上下に２個、左右に分けて一体的に設けたもので、４つの柔軟な半球は足の指を動かしても、足の指の動きに柔らかな半球体が順応するので、外れにくい構造になっている。
【００１２】
図中符号４で示す厚み調節用縦溝は、この溝にはコットンのような柔軟な材質の詰め物が入れられる縦溝であり、これは症状が少しずつ改善されて、基節骨の間隔が次第に広がってくる時に、パッドの厚み調節を可能にする役割の溝である。
【００１３】
図２の符号５は靴を履いた時の通気用横穴である。
【００１４】
本発明の外反母趾矯正の最大の目的は外反母趾の痛みを和らげることである。次に足の人差指側に曲がった親指を、徐々に正常な親指の状態に戻すことである。この目的を果たす為の矯正具の材質は柔らかで、且つ耐久性に優れたエラストマー樹脂を使用して成形する。
【００１５】
本発明は靴を履いたまま、外反母趾を矯正することが何よりも効果的と考えている。そして足の親指の付け根である、図４の符号７に示す基節骨（親指）の骨頭部間接の外側が最も痛い所である事を考慮し、骨頭部の外側には触れないように親指と人差指の間に挟まる構造のパッドにすることであり、また痛みを感じさせない柔らかな材質を選定した。
【００１６】
更には厚み調節可能な構造を持つ上に、外れにくい矯正具である。そして靴の中で使用することが前提なので、ムレ防止用の通気穴がある。
【００１７】
そのため、図１〜図３に示した符号２、３の嵌りやすい鍔や、符号４のパッドの厚み調節用縦溝、符号９の指の動きに順応する柔軟な半球、そして符号５の通気用横穴が設けてある。各々の役割は記述した通りであり、これらの構造が外反母趾矯正を効果的にする。
【００１８】
外反母趾のほとんどの原因は靴を履いた時の外的変形によるもので、靴を履かない時に治療をしても、靴を履く習慣から遁れられないならば、再び外反母趾は進行してしまう。
【００１９】
本発明のパッドは靴を履いた時に装着可能であり、基節骨間が開くにつれて、パッド幅の厚みを増やす事のできる調節構造があり、加えて柔らかな４つの半球で、パッドが外れにくくする。
【図面の簡単な説明】
【００２０】
【図１】発明の外反母趾矯正パッドの平面図である。
【図２】本発明の外反母趾矯正パッドの側面図である。
【図３】本発明の外反母趾矯正パッドの正面図である。
【図４】本発明の外反母趾矯正パッドの使用状態を示す平面図である。
【符号の説明】
【００２１】
１  外反母趾矯正パッド本体
２  鍔上部
３  鍔下部
４  厚み調節用縦溝
５  通気用横穴
６  基節骨（親指）
７  基節骨（親指）の骨頭部関節
８  基節骨（人差指）
９  柔軟な半球
１０  端部
【手続補正３】
【補正対象書類名】図面
【補正対象項目名】全図
【補正方法】変更
【補正の内容】
【図１】
2008093399.tif 000005
【図２】
2008093399.tif 000006
【図３】
2008093399.tif 000007
【図４】
2008093399.tif 000008